(57)【特許請求の範囲】
【請求項１】
携帯工具本体に対する取付位置を少なくとも２か所有し、該取付位置を変更することにより、前記携帯工具本体との間の隙間を変更可能なフックであって、
第１フック片と第２フック片からなる略Ｌ字型をなし、両片に前記携帯工具本体に対する取付位置を設け、前記第１フック片側の取付位置は前記第２フック片から寸法Ｌ1 の位置に形成し、前記第２フック片側の取付位置は前記第１フック片から前記寸法Ｌ1 よりも小さい寸法Ｌ2 の位置に形成して、一方の取付位置を用いて携帯工具本体に着脱可能に取り付ける構成としたことを特徴とする携帯工具のフック。
【請求項２】
請求項１記載のフックであって、第１フック片側の取付位置にビス止め用の第１取付孔を設け、第２フック片側の取付位置にビス止め用の第２取付孔を設け、該両取付孔の一方を用いて携帯工具本体に着脱可能にビス止めする構成としたことを特徴とする携帯工具のフック。
【請求項３】
請求項２に記載したフックであって、ビス止めした状態で該携帯工具本体側に係合して当該フックの軸回りの位置を規制するための係合部を有する構成としたことを特徴とする携帯工具のフック。
【発明の詳細な説明】
【０００１】
【発明の属する技術分野】
この発明は、例えば電気ドリル等の電動工具やエア工具等の携帯工具を、例えば作業者がベルトに引き掛けておくためのフックに関する。
【０００２】
【従来の技術】
この種のフックは、従来例えば図７（Ａ）に示すように携帯工具本体（以下、「本機」という）１のケースに一体形成した固定タイプ、或いは図７（Ｂ）に示すように本機１のケースに固定ビス４によりねじ止めして回転させることにより、好みの向きに移動させて使用することができる移動タイプ（例えば、特開平８−２５２７８４号）があった。固定タイプのフック２は、本機１との隙間Ｓ1 が比較的小さく、主としてベルト掛けに適している。移動タイプのフック３は本機５との間の隙間Ｓ2 が大きく設定されているため、例えば脚立の足踏み等比較的幅の大きい部位に引き掛けておく（以下、単に「脚立掛け」とも言う）場合に適している。
【０００３】
【発明が解決しようとする課題】
しかしながら、固定タイプのフック２は上記のようにベルト掛けには適しているが、脚立の足場等比較的幅の大きい部位に引き掛けておくことができず、逆に移動タイプのフック３は本機１との隙間Ｓ2 が大きいためベルトに引き掛けておくとバランスが悪く、簡単に外れてしまうといった問題があり、両タイプのフック２，３には一長一短があった。
そこで、本発明は、ベルト掛け等比較的幅の小さい部位であっても、脚立の足踏み等比較的幅の大きい部位であっても確実に引き掛けておくことのできる携帯工具のフックを提供することを目的とする。
【０００４】
【課題を解決するための手段】
このため、本願発明は前記各請求項に記載した構成のフックとした。
請求項１記載のフックによれば、携帯工具本体に対する取付位置を変更することにより、携帯工具本体との間の隙間に関して少なくとも２種類以上の寸法を設定することができる。このことから、当該フックを幅広用の位置に取り付ければ、いわゆる脚立掛け等の幅の大きい部位に引き掛けておくことができる一方、幅狭用の位置に取り付ければ、作業者のベルト等幅の狭い部位に引き掛けておくことができ、従来の固定タイプと移動タイプの長所を併せ持つフックとすることができる。
２種類以上の取付位置は、フック側に設定しても、携帯工具本体側に設定してもよい。
なお、この構成によればフックを別のものに交換する必要はなく、単一のフックで足りるので、使用していないフックを紛失するといった問題はない。
請求項２記載のフックによれば、第１フック片側の第１取付孔を用いてビス止めした場合の第２フック片と携帯工具本体との間の隙間と、第２フック片側の第２取付孔を用いてビス止めした場合の第１フック片と携帯工具本体との間の隙間とが異なるため、いずれか一方を選択して取付けることにより、ベルト掛け或いは脚立掛けのいずれにも対応することができ、これによっても従来の固定タイプと移動タイプの長所を併せ持つフックとすることができる。
請求項３記載のフックによれば、フックを所定の位置或いは向きにガタ付きなく固定することができる。
【０００５】
【発明の実施の形態】
次に、本発明の実施形態を図１〜図４に基づいて説明する。本実施形態では携帯工具の一例として電動スクリュードライバ１０を例示する。図１は、電動スクリュードライバ１０の全体を示している。この電動スクリュードライバ１０のハンドル部１１に、本実施形態のフック２０が取付けられている。本実施形態において、フック２０及びその取付形態以外、すなわちスクリュードライバ１０そのもの（以下、「本機１０」と言う）については特に変更を要しないので、説明を省略する。
さて、本機１０の図示上部にはＤ型ハンドル１１が設けられており、このハンドル１１の図示左側の側部にはフック取付け用の取付座部１２が設けられている。本実施形態のフック２０はこの取付座部１２に取付けられている。
先ず、フック２０は図２に示すようにほぼ同じ幅の第１フック片２１と第２フック片２２からなる略Ｌ字型をなし、両フック片２１，２２には同じ径の取付孔２１ａ，２２ａが形成されている。第１フック片２１側の第１取付孔２１ａは、第２フック片２２から寸法Ｌ1 だけ離れた位置に形成され、第２フック片２２側の第２取付孔２２ａは第１フック片２１から寸法Ｌ2 だけ離れた位置に形成されている。本実施形態の場合、寸法Ｌ1 ＞寸法Ｌ2 の関係に設定されている。
【０００６】
次に、図３に示すように上記取付座部１２には、上記フック２０の第１及び第２取付孔２１ａ，２２ａに挿入可能な径の円形凸部１２ａが形成されている。この円形凸部１２ａの中心には挿通孔１３が形成されており、この挿通孔１３の所定深さには固定ナット１４が回転しないよう固定されている。この固定ナット１４に、当該フック２０を固定するための固定ビス２５がねじ込まれる。固定ビス２５の頭部には、手回し操作用のキャップ２６が取付けられている。このキャップ２６の頂面には１０円硬貨等を差し込むための溝部２６ａが形成されており、これにより当該固定ビス２５は手回しによって締め込んだり緩めたりできる他、１０円硬貨等を用いてより強固に締め付けることもできるようになっている。
フック２０の第１取付孔２１ａ若しくは第２取付孔２２ａ内に円形凸部１２ａを挿入した状態で、固定ビス２５を締め付けることによりフック２０を固定することができる。第１フック片２１側の第１取付孔２１ａを用いて固定すれば、第２フック片２２が引き掛け用のフックとして機能する。この取付形態が図３及び図４（Ａ）に示されている。以下、この取付形態を、「脚立掛け用の取付形態」という。一方、第２フック片２２側の第２取付孔２２ａを用いて固定すれば、第１フック片２１が引き掛け用のフックとして機能する。この取付形態が図４（Ｂ）に示されている。以下、この取付形態を「ベルト掛け用の取付形態」という。
【０００７】
次に、図示するように取付座部１２の側方には、当該ハンドル１１の一部を盛り上げて形成した壁部１５が配置されている。この壁部１５の位置は、フック２０の幅に合わせて設定されている。このため、第１フック片２１側の第１取付孔２１ａを用いて当該フック２０を取り付ける（脚立掛け用の取付形態）と、図３に示すようにその端縁２１ｂが壁部１５にほぼ当接する状態となり、これにより当該フック２０の軸回りの回転が規制されるとともに、所定の向きに固定される。また、第１フック片２１と第２フック片２２の幅が同じであるので、ベルト掛け用の取付形態とした場合にも、第２フック片２２の端縁２２ｂが上記壁部１５にほぼ当接する状態となり、これにより当該フック２０が固定ビス２５の軸回りの回転が規制され、かつ所定の向きに固定される。上記端縁２１ｂ，２２ｂが請求項３に記載した係合部に相当する。
【０００８】
このように構成したフック２０によれば、図４に示すように第１フック片２１及び第２フック片２２にそれぞれビス止め用の取付孔２１ａ，２２ａが設けられており、第１取付孔２１ａは第２フック片２２から寸法Ｌ1 の位置に形成され、第２取付孔２２ａは第１フック片２１から寸法Ｌ2 の位置に形成され、寸法Ｌ1 は寸法Ｌ2 よりも大きく設定されている。このため、図４（Ａ）に示す脚立用の取付形態とした場合における、第２フック片２２とハンドル１１との間の隙間Ｓ３は、図４（Ｂ）に示すベルト掛け用の取付形態とした場合における、第１フック片２１とハンドル１１との間の隙間Ｓ4 よりも大きくなる。取付形態の変更は固定ビス２５を外すことにより簡単に行うことができる。
このようにハンドル１１との間の隙間Ｓ3 ，Ｓ4 に関して大小２種類に変更することができるので、従来の固定タイプのフック２と移動タイプのフック３の機能を併せ持つフック２０とすることができ、これにより当該フック２０により本機１０を脚立の足踏み台であっても作業者のベルトにもバランスよく引き掛けておくことができ、ひいては当該フック２０の使い勝手を大幅に向上させることができる。
また、図４では、脚立掛け用の取付形態およびベルト掛け用の取付形態ともに、ハンドル１１に対して図示右側に当該フック２０を配置した状態を示しているが、固定ビス２５を緩め或いは外せば１８０°反対側（図示左側）に配置することもできる。すなわち、両取付形態ともハンドル１１に対して左右両側に選択して配置することができ、いずれの側においても上記２種類の取付形態を選択することができる。なお、いずれの側に配置しても、かついずれの取付形態を選択しても、上記壁部１５が同様に機能する。
さらに、固定ビス２５の頭部には手回し操作用のキャップ２６が取付けられ、またこのキャップ２６の頂面には硬貨を差し込むための溝部２６ａが形成されている。このため、ねじ回し等の特別の工具を用いることなく簡単にフック２０の取付形態を変更することができ、かつ硬貨を用いて強固に固定ビス２５を締め付けることができ、この点で当該フック２０の使い勝手が一層良くなっている。
【０００９】
以上説明した実施形態には、種々変更を加えることができる。例えば、例示したフック２０は、壁部１５により固定ビス２５の軸回りの２位置（ハンドル１１に対して左側又は右側）の何れかに規制される構成であったが、例えば図６に示すように壁部１５の中程に、フック２０の後端部を収容可能な幅及び奥行きの凹部３５を面方向に沿って形成することにより、左右横方向の２位置に加えて縦方向（図示上下方向、ハンドル１１に沿った方向）の合計３位置に対応することができるようになる。この縦方向に配置した場合も、凹部３５の左右側壁により、当該フック２０の、固定ビス２５の軸回りの位置が規制されるので、使用中位置ずれすることなく所定の向き（縦向き）に固定することができる。
また、以上説明した実施形態は、携帯工具の一例として電動スクリュードライバ１０を例示したが、その他の携帯工具にも同様に適用可能であり、またハンドル１１にフック２０を取付ける構成を例示したが、その他の部位（例えば本機１０の背面、図７（Ａ）のフック２と同じ位置）に設けることも可能である。
【００１０】
次に、特許請求の範囲に記載した発明に関連する技術について説明する。図５にはこの関連技術に係るフック３０が示されている。このフック３０は、同じく第１フック片３１と第２フック片３２からなる略Ｌ字型をなしている。但し、第１フック片３１にはビス取付用の取付孔は設けられておらず、第２フック片３２に長溝孔３３が形成されている点が前記例示した実施形態と異なっている。長溝孔３３は、前記円形凸部１２ａを嵌込み可能な２箇所の円形孔３３ａ，３３ａとこの両円形孔３３ａ，３３ａを連通する溝部３３ｂから構成されている。溝部３３ｂの幅は、前記固定ビス２５を挿通可能な幅に設定されている。なお、この関連技術において、取付座部１２については前記実施形態と同様で足りる。
このように構成した関連技術のフック３０によれば、固定ビス２５を緩めるだけで当該フック３０の第１フック片３１を一定寸法（両円形孔３３ａ，３３ａ間の距離）平行移動させることができ、これによっても第１フック片３１と本機１０のハンドル１１との間の隙間を変更することができるので、前記実施形態と同様の作用効果を奏する。
この関連技術において、長溝孔３３の溝部３３ｂの幅を円形孔３３ａの直径に一致させて単なる長溝形状の孔（小判孔）にしてもよい。この場合小判孔内で固定ビスが移動可能な範囲で、フック３０を任意の位置に移動させることができ、よりきめ細かに位置調整することができる。この点、２か所の円形孔３３ａ，３３ａと溝部３３ｂを有する長溝孔３３の場合には、移動可能な位置は２箇所であるが、両位置において面方向の移動が規制されるため、不用意な位置ずれを防止できるメリットがある。
また、この関連技術においても、当該フック３０をハンドル１１に対して左側または右側のいずれにも選択して配置することができる。
【図面の簡単な説明】
【図１】本発明の実施形態を示す図であり、電動スクリュードライバの全体側面図である。
【図２】本発明の実施形態に係るフックを単体で示す図であり、（Ａ）は平面図、（Ｂ）は縦断面図である。
【図３】本発明の実施形態のフックの取付部周辺を示す図であり、（Ａ）は一部破断側面図、（Ｂ）は（Ａ）の（Ｂ）矢視図である。
【図４】本発明の実施形態のフックの取付形態を示す図であり、（Ａ）は脚立掛け用の取付形態、（Ｂ）はベルト掛け用の取付形態を示す。本図は、図３を (4)矢視方向から見た図である。
【図５】関連技術に係るフックを単独で示した図であり、（Ａ）は平面図、（Ｂ）は縦断面図である。
【図６】本願発明の別形態に係るフックを示す図であり、図３（Ｂ）と同じ方向から見た図である。
【図７】従来のフックを備えた携帯工具の側面図であり、（Ａ）は固定タイプのフックを示し、（Ｂ）は移動タイプのフックを示す。
【符号の説明】
２…従来のフック（固定タイプ）
３…従来のフック（移動タイプ）
Ｓ1 ，Ｓ2 …従来のフックの隙間
１０…本機（携帯工具、電動スクリュードライバ）
１１…Ｄ型ハンドル
１２…取付座部、１２ａ…円形凸部
１３…挿通孔、１４…固定ナット
１５…壁部
２０…フック（第１実施形態）
２１…第１フック片、２１ａ…第１取付孔
２２…第２フック片、２２ａ…第２取付孔
２５…固定ビス
２６…キャップ
３０…フック（第２実施形態）
３１…第１フック片
３２…第２フック片
３３…長溝孔、３３ａ…円形孔、３３ｂ…溝部
３５…凹部
【図１】
0003630946.tif 000002
【図２】
0003630946.tif 000003
【図３】
0003630946.tif 000004
【図４】
0003630946.tif 000005
【図５】
0003630946.tif 000006
【図６】
0003630946.tif 000007
【図７】
0003630946.tif 000008